(57)【特許請求の範囲】
【請求項１】
雌型と抜型とからなり、カートンブランクの打ち抜き時に用いられる打ち抜き型であって、前記抜型に、帯状ブレードの長手方向と同一方向に形成された第１の領域の切り刃Ｋ−１と、第１の領域に連接するとともに第１の領域に対して所定の方向に前記帯状ブレードの上部を直線的に境界ＫＹで折り曲げて形成された第２の領域の切り刃Ｋ−２とから構成された前記切り刃Ｋ−１、前記切り刃Ｋ−２を所定のピッチで前記帯状ブレードの上側に設け、下側は抜型に埋設される固定部Ｕ−１としている第１の打ち抜きブレードＢ−１と、帯状ブレードに、長手方向から直線的に曲げて形成されるとともに、帯状ブレードの上側から部分的に突出して形成されてなる切り刃Ｋ−３を、前記切り刃Ｋ−２と等しい長さで、同様のピッチで設け、前記帯状ブレードの下側は抜型に埋設される固定部Ｕ−２としている第２の打ち抜きブレードＢ−２とを、前記第２の打ち抜きブレードＢ−２の切り刃Ｋ−３が前記第１の打ち抜きブレードＢ−１の前記第１の領域と前記第２の領域の前記境界ＫＹに当接するようにして、前記切り刃Ｋ−１と前記切り刃Ｋ−２と前記切り刃Ｋ−３とでＹ字状を形成した切り刃を埋め込んで固定してなることを特徴とする打ち抜き型。
【発明の詳細な説明】
【０００１】
【発明の属する技術分野】
本発明は，カートンの開封に使用するジッパーの打ち抜き型に関する。
【０００２】
【従来の技術】
従来からカートン、特にシールエンドカートンの胴部或いは天板等を所定の形状に開封しようとする場合にジッパーＪが多用されている。
図６は、従来のジッパーの説明図である。従来のジッパーＪは、図６（ａ）に示すようなＳ字形か、あるいは図６（ｂ）に示すようなＬ字形の切り込みを一列に配列したものが多い。これらジッパーＪは、摘まみＴを引き裂き開始点としてジッパーラインに従ってカートンを引き裂いて開封することができる。
これらジッパーＪは、カートンブランクの打ち抜き工程において、カートンブランク外周の打ち抜きに使用する片側に切り刃を設けたブレードと同じようなブレードによって形成されている。なお、罫線も切り刃を持たないブレードよって同時に形成される。
このカートン打ち抜き工程においては、これらブレードの切り刃と反対側の端縁が硬い金属板によって覆われるように台板のスリットに埋設して固定された抜型と、これに対向する雌型（カウンタープレート）の間に板紙等を挟んで圧をかけて打ち抜き、同時にハーフカット、罫押し等の加工が行われている。
ジッパーＪは短い切り刃の集合体によって加工されるものであり、Ｌ字形パターン、Ｓ字型パターン等の切り込み（ジッパーの構成単位を意味する）が引き裂き方向に配列して形成されている。これらＬ字形パターン、Ｓ字型パターン等に打ち抜くブレードは長尺のブレードの一方の側を研いで切り刃が設けられ、この切り刃部分の一部をＬ字、Ｓ字等のパターン、ジッパーのピッチに従って外側に折り曲げ、焼き入れして製作され、ブレードは長尺のまま切り刃と反対側を台板に埋設されて使用されている。
打抜機には、一般に平圧式と輪転式とがあるが、輪転式の場合は、抜型、雌型ともシリンダー状に加工されたものが使用され、比較的型の寿命が長く、打ち抜き精度が良く、準備に時間を取らない等の長所はあるが、極めてコスト高となり、ロングランの限定されたカートンにしか使用されない。これに対し平圧式は、汎用的であって、従来から広く使用されている。その寿命は、打ち抜く板紙等の種類によって変わるが、１０〜２０万ショット程度である。
本発明によるジッパー打ち抜き型は後者の平圧式に使用されるものである。
平圧式の場合の抜型は、カートンブランク図面を倣って、あるいはカートンブランク図形のデジタルデータに従って出力されるレーザー光で１８ｍｍの厚みの台板にスリットを彫り、その間に、幅が２３．６ｍｍ、厚み０．７ｍｍの帯状の長尺あるいは短尺のブレードを埋設、固定して製造されている。
【０００３】
【発明が解決しようとする課題】
しかるに、従来のＬ字形、あるいはＳ字形の切り込みが直線もしくは曲線状に配列されたジッパーによるカートンの開封の場合、引っ張りの方向が正しくないと、引き裂きの伝播が一列に並ぶ切り込みに次々と正しく受け継がれず、途中からジッパーラインを外れてしまい、ジッパーラインどおりの予定通りの開封が不能になり、外れたところから板紙の層間剥離が広がって開封が不完全に終わるケースが多い。また図６（ｂ）のように細長い帯状片をカートンから引き裂く場合は、途中で帯状片がちぎれてしまう問題も発生する。
また、非常に短尺に切断したブレードの一方の側に切り刃を加工し他方の側を抜型に埋設して固定した場合、ブレードに耐久性がなく打ち抜き作業の途中でブレードが抜け落ちる問題がある。
本発明は、前述の問題点に鑑みてなされたもので、ジッパー引き裂き時に手元が狂って引き裂き方向がジッパーラインと一致しなくとも、また曲線状のジッパーラインであっても、最後までジッパーラインどおりに安定した引き裂きを可能とし、また、打ち抜き作業の途中で切り刃が抜け落ちない耐久性のあるジッパー用に打ち抜き型を提供することを目的とする。
【０００４】
【課題を解決するための手段】
前記課題を解決するためになされた本発明によるジッパー打ち抜きブレードは、次の２種からなるものである。
１）  帯状ブレードの長手方向と同一方向に形成された第１の領域の切り刃Ｋ−１と、第１の領域に連接するとともに第１の領域に対して所定の方向に前記帯状ブレードの上部を直線的に境界ＫＹで折り曲げて形成された第２の領域の切り刃Ｋ−２とから構成された前記切り刃Ｋ−１、前記切り刃Ｋ−２を所定のピッチで前記帯状ブレードの上側に設け、下側は抜型に埋設される固定部Ｕ−１としている第１の打ち抜きブレードＢ−１。
２）  帯状ブレードに、長手方向から直線的に曲げて形成されるとともに、帯状ブレードの上側から部分的に突出して形成されてなる切り刃Ｋ−３を、前記切り刃Ｋ−２と等しい長さで、同様のピッチで設け、前記帯状ブレードの下側は抜型に埋設される固定部Ｕ−２としている第２の打ち抜きブレードＢ−２。
また、前記課題を解決するためになされた本発明によるジッパー打ち抜き型は、雌型と抜型とからなり、カートンブランクの打ち抜き時に用いられる打ち抜き型であって、前記抜型に、前記第２の打ち抜きブレードＢ−２の切り刃Ｋ−３が前記第１の打ち抜きブレードＢ−１の前記第１の領域と前記第２の領域の前記境界ＫＹに当接するようにして、前記切り刃Ｋ−１と前記切り刃Ｋ−２と前記切り刃Ｋ−３とでＹ字状を形成した切り刃を埋め込んで固定してなることを特徴とする打ち抜き型である。
【０００５】
【発明の実施の形態】
本発明を図面を用いて、更に詳しく説明する。
図１は、本発明によるジッパー打ち抜きブレード及び打ち抜き型を用いて加工されたカートンの説明図である。図１（ａ）は、カートン２０の斜視図、図１（ｂ）は、そのカートンブランク１０の展開図の一部である。
図１で示すように、本発明によるジッパー打ち抜きブレード及び打ち抜き型によって加工されるジッパーＪは、ジッパーＪの構成単位である切り込みが、直線部とその直線部の一方の端から直線的に延びる２本の斜線部とからなるＹ字状であり、この切り込みがカートンの開封領域に従って一列に配列されたもの（以下Ｙ字形ジッパーと称する）であって、その配列は直線状でも曲線状であってもよい。  図１（ａ）に示すカートン２０の摘まみＴを持って引き上げると、カートン２０はＹ字形ジッパーに沿って綺麗に開封される。
【０００６】
図２は、Ｙ字形ジッパーの効果説明図である。
図２（ａ）に示すような従来のＬ字形ジッパーの場合、隣接するＬ字形の切り込み間の繋ぎ部Ｃを引き裂こうとすると、切り込みの直線部の終点Ｓに作用する剪断応力の方向が図２（ａ）で示すように真っ直ぐか、左側に寄っていればよいが、右側に偏ってしまうと、板紙の引き裂きに伴って起きる板紙の層間剥離を受け止める切り込みが無いため、繋ぎ部Ｃの切断は不能になりジッパーラインどおりの完全な開封ができなくなる。これに対して本発明によるジッパー打ち抜き型によるＹ字形ジッパーの場合は、図２（ｂ）に示すように、剪断応力の方向が左右いずれの方向に偏っても、それを受け止める切り込み、すなわちＹ字の斜線部が待ち構えているので、引き裂きは次の切り込みに確実に伝播し、最後の切り込みまで綺麗にジッパーラインに沿った開封が可能となる。
【０００７】
図３、図４は、本発明によるジッパー打ち抜きブレードの構造説明図である。以下、本発明による４種の打ち抜きブレードについて図３、図４によって説明する。
１）打ち抜きブレードＢ−１
このブレードＢ−１は、請求項１に記載されているものであって、図３の斜視図の上段に示すように、帯状ブレードに、ブレードの長手方向と同一方向に形成された第１の領域の切り刃Ｋ−１と、第１の領域に連接するとともに第１の領域に対して所定の方向に直線的に境界ＫＹで折り曲げて形成された第２の領域の切り刃Ｋ−２とから構成された切り刃Ｋ−１，Ｋ−２を所定のピッチでブレードの一方の側に設けたものであって、他方の側は抜型に埋設される固定部Ｕ−１となっている。また、この切り刃の第１の領域の切り刃Ｋ−１の長さが、前記第２の領域の切り刃Ｋ−２の長さより長く設定されている。
２）打ち抜きブレードＢ−２
このブレードＢ−２は、請求項１に記載されているものであって、図３の斜視図の下段に示すように、帯状ブレードに、直線的に曲げて形成されるとともに、ブレードの長手方向の一方の側から部分的に突出して形成されてなる切り刃Ｋ−３を所定のピッチでブレードの長手方向に設けたもので、ブレードの他方の側は抜型に埋設される固定部Ｕ−２となっている。ここで、切り刃Ｋ−３の長さは、ブレードＢ−２の切り刃Ｋ−２の長さと同じになっている。
３）打ち抜きブレードＢ−３
このブレードＢ−３は、請求項１の変形例であって、図４の斜視図の上段に示すように、ブレードを切り刃に対して直行する方向でくの字状に境界ＫＹで屈曲させ、前記切り刃を第１の領域の切り刃Ｋ−１と第２の領域の切り刃Ｋ−２とに分けて、切り刃Ｋ−１，Ｋ−２の全長が固定部Ｕ−３の長さより短くなるようにしている。また、ブレードＢ−１と同じく切り刃Ｋ−１の方を切り刃Ｋ−２より長くしている。
４）打ち抜きブレードＢ−４
このブレードＢ−４は、請求項１の変形例であって、ブレードの一方の側の直線部に切り刃Ｋ−３を形成したもので、切り刃Ｋ−３の長さが固定部Ｕ−４の長さよりも短くしている。ここで、ブレードＢ−４の切り刃Ｋ−３の長さは、ブレードＢ−３の切り刃Ｋ−２の長さと同じになっている。また、打ち抜きブレードＢ−３，Ｂ−４において、固定部Ｕ−３を切れ刃Ｋ−１とＫ−２の全長、また固定部Ｕ−４を切り刃Ｋ−３より長くすることによって、抜型の台板との接触面積を大きくとることができ、カートンブランクの打ち抜き時、特に打ち抜いたブランクから切り刃を引き抜く時に起き易い台板からの脱落を防止することができる。
【０００８】
次に、本発明によるジッパー打ち抜き型について説明する。図５は、本発明によるジッパー打ち抜き型の抜型の説明図である。本発明によるジッパー打ち抜き型は、雌型と抜型３０とからなり雌型はカウンタープレートとも呼ばれ、単に切り刃に対向して設置されるものであって図５には図示されていない。図５（ａ）は、図１（ｂ）に示すようなカートンブランク１０の打ち抜き加工する場合の本発明によるジッパー打ち抜き型の抜型３０の斜視図であって、Ｙ字形ジッパー加工用の切り刃Ｋ−１〜３が圧縮合板の台板Ｄから突出するように形成されて設けられ、同時にカートンブランク１０の打ち抜き用切り刃Ｋ−４，折り線用の押し罫Ｆ等が同じ台板上に設けられている。また、前述のブレードＢ１〜４の組み合わせのいずれの場合も、台板上に現れる切り刃Ｋ−１〜３は、同一のＹ字形状を形成し、ジッパーラインに沿って配列したものとなる。本発明によるジッパー打ち抜き型は、請求項１の記載のように、抜型３０の方に、第１の領域の切り刃Ｋ−１と第２の領域の切り刃Ｋ−２とを有する第１の打ち抜きブレード（Ｂ−１）と、直線的な切り刃Ｋ−３を有する第２の打ち抜きブレード（Ｂ−２）とを、第２の打ち抜きブレードの切り刃が前記第１の領域と前記第２の領域の境界ＫＹに当接するようにして、Ｙ字状の切り刃を形成するように埋め込んで固定してなるものである。この状態は、図３、図４の平面図によって示すことができる。図３、図４に示すように、２種のブレード、すなわち、ブレードＢ−１とブレードＢ−２がそれぞれ組み合わされてＹ字状の切り刃を形成するように抜型３０の台板に埋め込まれて固定される。この平面図で実線は切り刃（Ｋ−１〜Ｋ−３）を、破線は抜型の表面には現れないブレードの固定部（Ｕ−１〜Ｕ−２）をそれぞれ示している。いずれの組み合わせの場合も、Ｙ字形ジッパーのジッパーラインに沿って、直線状若しくは曲線状に予め形成されている台板のスリットに２種のブレードをそれぞれ図３、図４の平面図に示すように埋め込んで固定することによって、Ｙ字形ジッパーを打ち抜く抜型３０を得ることができる。
【０００９】
図５（ｂ）は、本発明によるジッパー打ち抜き型の抜型３０の断面図である。図５（ｂ）は、ブレードＢ−１とＢ−２の組み合わせが用いられた場合の抜型３０の図５（ａ）における切り刃Ｋ−１をよぎるｘ−ｘ’断面を示し、ブレードＢ−１は上部に切り刃Ｋ−１を突出させ，ブレードＢ−２は、所定の間隔を保って台板に埋没している。
また、図５（ａ）には、複雑になるので描いてないが、図５（ｂ）で示すように、Ｙ字状の切り刃が配列した両側には、切り刃の刃先よりも高さのある反発力の強い弾性体Ｇが平行に設けられている。これは、カウンタープレートに押し当てられた切り刃Ｋ−１〜３が離れる時に打ち抜かれたカートンブランク１０を引き離し易くするためである。
【００１０】
一般に、カートンに使用される板紙の厚みは０．３〜０．６ｍｍであって、Ｙ字形ジッパーの切り込みの大きさは、板紙の厚みに従って最適な大きさに適宜決めればよい。また切り込みの繋ぎ部Ｃは少ない方が当然引き裂き易いが、繋ぎ部Ｃが少なくなるとカートンの全体構造を弱くするので、例えば０．５ｍｍ厚の板紙（コートボール）の場合に少なくとも０．７ｍｍ程度の繋ぎ部Ｃを残しておくことが好ましい。  また抜き型としての繋ぎ部Ｃは０．２ｍｍまで加工は可能であるが、余りに短くしすぎると、実際に打ち抜かれたカートンブランクでは繋がらない場合があって、繋ぎ部Ｃを短くしすぎるのは危険である。
【００１１】
【実施例】
図１（ｂ）に示すような天板に曲線状の、Ｙ字形ジッパーを設けた、幅１００ｍｍ、奥行き１３０ｍｍ、高さ３０ｍｍのカートン２０を試作すべく、前述の２種のブレードの組合わせによるＹ字形ジッパーの打ち抜き型の抜型３０によって、丸井製紙（株）製、コートボール３１０ｇ／ｍ2 、厚み０．３６ｍｍの板紙を打ち抜いてカートンブランク１０を作成した。また、Ｙ字形ジッパーは、縦１０ｍｍ，横幅６．６ｍｍの大きさの切り込みが、１０ｍｍピッチで１０個配列し、１００ｍｍＲの曲率で一列に配列するようにした。
一方において、切り込みを従来のＬ字形にした以外は、総て同一仕様の試作例サンプルを作成し、カートンの開封比較テストを行った。
以上の両サンプルによる引き裂き開封の結果であるが、実施例サンプルの場合は、いかなる癖のある開封方法でも最後まで完全にジッパーラインに沿って綺麗に、容易に開封できたが、試作例では慎重に開封しない限り途中でジッパーラインを外れて完全な開封ができないケースが生じた。
さらに、ブレードＢ−３とブレードＢ−４に代わって、切り刃と固定部の長さが同じ短尺のブレードを使用した場合は、耐久力がなく１０万ショットに至らぬ間に抜け落ちることはテストするまでもなくこれまでの経験から明らかである。これに対し、本発明によるジッパー打ち抜きブレード及び打ち抜き型によれば、前述のいずれのブレードの組み合わせの場合も打ち抜き型の一般的な寿命である１０〜２０万ショットまでは、ブレードが抜型３０から抜け落ちる現象は見られなかった。
【００１２】
【発明の効果】
本発明によるジッパー打ち抜きブレード及び打ち抜き型によれば、
上述した打ち抜きブレードＢ−１とＢ−２とを組み合わせ、あるいは打ち抜きブレードＢ−３，Ｂ−４を組み合わせてＹ字状の切り刃を形成し、且つ、Ｙ字状の切り刃をジッパーラインに沿うように、台板に固定することにより、カートンを安定して開封できるＹ字形ジッパーの形成が可能となり、さらに、短尺ブレードＢ−３，Ｂ−４において、ブレードの固定部Ｕ１〜３を切り刃Ｋ１〜３よりも長くすることによって、カートンブランクの打ち抜き工程中起きるブレードの台板からの脱落を防止して、打ち抜き型の耐久性を向上させることができ、製造コストを低減させることが可能である。
【図面の簡単な説明】
【図１】本発明によるジッパー打ち抜きブレード及び打ち抜き型を用いて加工されたカートンの説明図
【図２】Ｙ字形ジッパーの効果説明図
【図３】本発明によるジッパー打ち抜きブレードの構造説明図
【図４】本発明によるジッパー打ち抜きブレードの構造説明図
【図５】本発明によるジッパー打ち抜き型の抜型の説明図
【図６】従来のジッパーの説明図
【符号の説明】
１０        カートンブランク
２０        カートン
３０        本発明によるジッパー打ち抜き型の抜型
Ｂ−１、３  第１の打ち抜きブレード
Ｂ−２、４  第２の打ち抜きブレード
Ｃ          繋ぎ部
Ｄ          台板
Ｆ          押し罫
Ｇ          弾性体
Ｊ          ジッパー
Ｋ−１      第１の領域の切り刃
Ｋ−２      第２の領域の切り刃
Ｋ−３      突出した直線的切り刃、または直線的切り刃
Ｋ−４      ブランク打ち抜き用切り刃
ＫＹ        第１と第２の領域の折り曲げ境界
Ｓ          Ｙ字切り込みの直線部の終点
Ｔ          摘まみ
Ｕ−１〜４  ブレードＢ−１〜４の固定部
【図１】
0003908329.tif 000002
【図２】
0003908329.tif 000003
【図３】
0003908329.tif 000004
【図４】
0003908329.tif 000005
【図５】
0003908329.tif 000006
【図６】
0003908329.tif 000007